(57)【要約】【課題】ＨＤＤホルダを工夫することで、ＨＤＤユニットの振動をより確実に減衰し、本体シャーシやＶＣＲユニットに影響を及ぼさないようにする。【解決手段】ＨＤＤユニット４０とＶＣＲユニットとが本体シャーシ上に搭載されており、ＨＤＤユニット４０がダンパー６１ａ，６１ｂを介してＨＤＤホルダ７０に取り付けられ、このＨＤＤホルダ７０が本体シャーシに取り付けられた構造の記録再生装置であって、前記ＨＤＤホルダ７０が樹脂部材にて形成されているとともに、ＨＤＤユニット４０を載置固定する載置板７１と、この載置板７１の各隅部から下方に延設した４本の脚片７２，７３とからなり、かつ、ＨＤＤユニット４０は、ダンパー６１ａ，６１ｂによって載置板７１から若干浮かせて取り付けられている。【選択図】図１
2008171460.tif 000002
【特許請求の範囲】
【請求項１】
少なくともハードディスクドライブユニットと磁気ヘッドにより磁気テープに記録と再生とを行うビデオカセットレコーダユニットとが本体シャーシ上に搭載されており、前記ハードディスクドライブユニットは、第１の緩衝部材を介してハードディスクドライブホルダに取り付けられ、このハードディスクドライブホルダが本体シャーシに取り付けられた構造の記録再生装置において、
前記ハードディスクドライブホルダが樹脂部材にて形成されているとともに、前記ハードディスクドライブユニットを載置固定する載置板と、この載置板の各隅部から下方に延設した脚部材とからなり、前記脚部材の底面が第２の緩衝部材を介して前記本体シャーシに固定されており、かつ、前記ハードディスクドライブユニットは、前記第１の緩衝部材によって前記載置板から浮かせて取り付けられていることを特徴とする記録再生装置。
【請求項２】
ハードディスクドライブユニットが緩衝部材を介してハードディスクドライブホルダに取り付けられ、このハードディスクドライブホルダが本体シャーシに取り付けられることによって、前記ハードディスクユニットが前記本体シャーシ上に搭載された構造の記録再生装置において、前記ハードディスクドライブホルダが樹脂部材にて形成されていることを特徴とする記録再生装置。
【請求項３】
前記ハードディスクドライブホルダは、前記ハードディスクドライブユニットを載置固定する載置板と、この載置板の各隅部から下方に延設した脚部材とからなり、前記脚部材の底面が前記本体シャーシに固定されていることを特徴とする請求項２に記載の記録再生装置。
【請求項４】
前記ハードディスクドライブユニットは、前記緩衝部材によって前記載置板から浮かせて取り付けられていることを特徴とする請求項３に記載の記録再生装置。
【請求項５】
前記脚部材の底面と前記本体シャーシとの間に第２の緩衝部材が介挿されていることを特徴とする請求項３または請求項４に記載の記録再生装置。
【請求項６】
前記本体シャーシには、磁気ヘッドにより磁気テープに記録と再生とを行うビデオカセットレコーダユニットが搭載されていることを特徴とする請求項２ないし請求項４のいずれかに記載の記録再生装置。
【発明の詳細な説明】
【技術分野】
【０００１】
本発明は、ハードディスクドライブ（ＨＤＤ）ユニットが緩衝部材を介してＨＤＤホルダに取り付けられ、このＨＤＤホルダが本体シャーシに取り付けられることによって、前記ハードディスクユニットが前記本体シャーシ上に搭載された構造の記録再生装置に関する。
【背景技術】
【０００２】
従来、ＨＤＤユニットとビデオカセットレコーダ（ＶＣＲ）ユニットとＤＶＤ(Digital Versatile Disk)ユニットとが本体シャーシ上に搭載された複合型の記録再生装置では、本体シャーシ上に、ＨＤＤユニットとＶＣＲユニットとＤＶＤユニットとが直接搭載されている。
【０００３】
図３は、ＨＤＤユニットとＤＶＤユニットとＶＣＲユニットとが本体シャーシ上に搭載された状態を示している。
【０００４】
すなわち、本体シャーシ１０の正面側には垂直に起立した正面パネル１１が配置されており、この正面パネル１１には、光ディスク（ＤＶＤ）を装填するためのディスク挿入口１２と、ビデオカセットを装填するためのカセット挿入口１３とが設けられている。そして、カセット挿入口１３に対峙する形で、チューナ部等２０ａを含むＶＣＲユニット２０が配置され、ディスク挿入口１２に対峙する形でＤＶＤユニット３０が配置され、このＤＶＤユニット３０の後ろ側にＨＤＤユニット４０が配置されている。すなわち、一番スペースを取るＶＣＲユニット２０の横に並んでＤＶＤユニット３０とＨＤＤユニット４０とが配置されている。
【０００５】
そして、ＨＤＤユニット４０は、図４（ａ），（ｂ）に示すように、板金加工によって形成されたＨＤＤホルダ５０に取り付けられ、このＨＤＤホルダ５０を本体シャーシ１０に取り付け固定する構造となっている。
【０００６】
ＨＤＤホルダ５０は、ＨＤＤユニット４０を載置固定する載置板５１を備えており、この載置板５１の前端部に形成された左右一対の脚片５２，５３をそれぞれ下方に垂下させ、その下端部をさらに前方に略９０度屈曲形成することによって、本体シャーシ１０に固定するための固定片５２ａ，５３ａが形成されている。また、載置板５１の後端部を垂直に起立させることによって、本体シャーシ１０の背面側に形成された背面板１４に固定するための背面側固定板５４が形成されている。
【０００７】
固定片５２ａ，５３ａ及び背面側固定板５４には、それぞれネジ挿通穴５５，５５，・・・が形成されており、これに対向する本体シャーシ１０の底面及び背面板１４には、それぞれネジ穴（図示省略）が形成されている。そして、固定片５２ａ，５３ａ及び背面側固定板５４に形成された各ネジ挿通穴５５，５５，・・・を介して、本体シャーシ１０の底面及び背面板１４に形成された各ネジ穴に図示しないネジ部材をねじ込むことによって、ＨＤＤホルダ５０を本体シャーシ１０に固定するようになっている。
【０００８】
一方、ＨＤＤユニット４０の前側下端部と後側下端部には、このＨＤＤユニット４０をＨＤＤホルダ５０の載置板５１に取り付けるための水平に延設された取付片４１，４１がそれぞれ形成されており、これら取付片４１，４１の左右２箇所（すなわち、合計４箇所）には、略Ｕ字状に切り欠き形成されたネジ嵌合溝部４３，４３，・・・が形成されている。また、これらネジ嵌合溝部４３，４３，・・・に対向する載置板５１の位置にはそれぞれネジ穴５６，５６，・・・が形成されている。
【０００９】
そして、図４（ｂ）に示すように、これらネジ穴５６，５６，・・・の上に円筒形状に形成されたゴム製の弾性部材（緩衝部材）からなる下側ダンパー６１ｂ，６１ｂ，・・・を配置し、これらダンパー６１ｂ，６１ｂ，・・・の上にそれぞれネジ嵌合溝部４３，４３，・・・を合わせるようにしてＨＤＤユニット４０の取付片４１，４１を載置し、この上にさらに円筒形状に形成されたゴム製の弾性部材（緩衝部材）からなる上側ダンパー６１ａ，６１ａ，・・・を配置した状態で、上方からネジ穴５６，５６，・・・に対してネジ部材６２，６２，・・・をねじ込むことにより、上側ダンパー６１ａと下側ダンパー６１ｂとによって両取付板４１，４１のネジ嵌合溝部４３周辺を挟持固定する構造となっている。
【００１０】
ただし、実際の取り付けでは、図４（ａ）に示すように、ネジ部材６２に上側ダンパー６１ａと下側ダンパー６１ｂとを予め挿着しておき、この上下両ダンパー６１ａ，６１ｂの隙間に取付板４１のネジ嵌合溝部４３を差し込むようにして、ネジ部材６２をＨＤＤユニット４０の取付板４１に仮装着し、この状態で、ＨＤＤユニット４０をＨＤＤホルダ５０の載置板５１に対向配置して、各ネジ部材６２を対向する各ネジ穴５６にねじ込むことによって、ＨＤＤユニット４０をＨＤＤホルダ５０に取り付けている。
【００１１】
すなわち、ＨＤＤユニット４０を、下側ダンパー６１ｂによって載置板５１から若干浮いた状態で保持することで、ＨＤＤユニット４０自体の振動が、ＨＤＤホルダ５０やこのＨＤＤホルダ５０が取り付けられている本体シャーシ１０、ひいてはこの本体シャーシ１０に搭載されているＤＶＤユニット３０やＶＣＲユニット２０に直接伝わらないように工夫されている。
【００１２】
図４に示した形状とは異なるものの、このようにＨＤＤユニットを弾性部材を介してＨＤＤホルダに取り付けるものとして、例えば特許文献１，２に記載のものがある。特許文献１，２に記載のものは、いずれもゴム製の弾性部材を介して、板金加工により形成されたＨＤＤホルダにＨＤＤユニットを取り付ける構造となっている。
【特許文献１】特開２００６−０９２７０３号公報
【特許文献２】特開２００３−３１４６１３号公報
【発明の開示】
【発明が解決しようとする課題】
【００１３】
上記従来技術によれば、ＨＤＤユニット４０にて発生する振動を上下両ダンパー６１ａ，６１ｂである程度減衰させることが可能である。しかし、従来の装置では、ＨＤＤホルダ５０自体が板金加工による金属板によって形成されているため、上下両ダンパー６１ａ６１ｂによって吸収しきれない振動が、金属板であるＨＤＤホルダ５０を減衰することなく伝達し、本体シャーシ１０ひいてはこの本体シャーシ１０に搭載されているＤＶＤユニット３０やＶＣＲユニット２０まで伝達されてしまうといった問題があった。特に、ＶＣＲユニット２０を搭載している装置では、この振動がＶＣＲユニット２０の回転ドラムに搭載されている磁気ヘッドに微妙な影響を与え、ＶＣＲの性能低下に繋がってしまうといった問題があった。すなわち、記録時のトラッキングエラーの発生による記録不良や、再生時のトラッキングエラーによる画像の乱れなどが発生する可能性があった。
【００１４】
本発明はかかる問題点を解決すべく創案されたもので、その目的は、ＨＤＤホルダを工夫することで、ＨＤＤユニットの振動をより確実に減衰し、本体シャーシやＶＣＲユニットに影響を及ぼさないようにした記録再生装置を提供することにある。
【課題を解決するための手段】
【００１５】
上記課題を解決するため、本発明の記録再生装置（２）は、ＨＤＤユニットが緩衝部材を介してＨＤＤホルダに取り付けられ、このＨＤＤホルダが本体シャーシに取り付けられることによって、前記ＨＤＤユニットが前記本体シャーシ上に搭載された構造の記録再生装置において、前記ＨＤＤホルダが樹脂部材にて形成されていることを特徴としている。樹脂部材としては、耐熱性を有するＡＢＳ（アクリロニトリル・ブタジエン・スチレン）樹脂を用いることが可能である。このように、ＨＤＤホルダ自体を樹脂部材にて形成することで、樹脂自体に振動を吸収する作用があるため、金属板で作製していた従来のＨＤＤホルダに比べて、ＨＤＤユニットの振動をさらに減衰させることが可能である。
【００１６】
この場合、減衰率をさらに向上させるため、本発明（３）に係わるＨＤＤホルダは、前記ＨＤＤユニットを載置固定する載置板と、この載置板の各隅部から下方に延設した脚部材とからなり、前記脚部材の底面が前記本体シャーシに固定された構造となっている。すなわち、脚部材によって支持する構造とすることで、この脚部材の部分でＨＤＤユニットの振動をより減衰することが可能となる。
【００１７】
また（４）、ＨＤＤユニットは、前記緩衝部材によって前記載置板から浮かせて取り付けられている。従って、ＨＤＤユニットで発生する振動や熱がＨＤＤホルダに直接伝わることはない。また、上記したように、樹脂部材として耐熱性を有するＡＢＳ樹脂を用いることにより、熱に対する対策も万全なものとなる。
【００１８】
また、本発明（５）では、前記脚部材の底面と前記本体シャーシとの間に第２の緩衝部材を介挿させた構造としてもよい。第２の緩衝部材を介挿させることで、ＨＤＤホルダに伝達された振動をさらに減衰することが可能となる。
【００１９】
また、本発明では（６）、このような構造のＨＤＤユニットを、ＤＶＤユニットやＶＣＲユニットが搭載された本体シャーシに搭載している。すなわち、同じ本体シャーシに、ＨＤＤユニットとＤＶＤユニットとＶＣＲユニットとが搭載された記録再生装置に適用している。この場合、上記解決課題で説明したように、ＨＤＤユニットの振動がＶＣＲユニットの回転ドラムに搭載されている磁気ヘッドに微妙な影響を与える問題があったが、ＨＤＤホルダを本発明のように樹脂構造とすることで、このような問題を解決することが可能である。
【発明の効果】
【００２０】
本発明によれば、ＨＤＤホルダ自体を樹脂部材にて形成することで、樹脂自体に振動を吸収する作用があるため、金属板で作製していた従来のＨＤＤホルダに比べて、ＨＤＤユニットの振動をさらに減衰させることができる。これにより、同じ本体シャーシに、ＨＤＤユニットとＤＶＤユニットとＶＣＲユニットとが搭載されている場合、従来の記録再生装置では、ＨＤＤユニットの振動が金属板のＨＤＤホルダを伝達して、ＶＣＲユニットの回転ドラムに搭載されている磁気ヘッドに微妙な影響を与える問題があったが、ＨＤＤホルダを樹脂構造とすることで、このような問題を解決することができる。
【００２１】
また、本発明では、ＨＤＤホルダを絶縁部材である樹脂部材で形成しているので、本体シャーシや、本体シャーシに搭載される他の部品との絶縁性も確保し易いものである。
【発明を実施するための最良の形態】
【００２２】
以下、本発明の実施の形態について、図面を参照して説明する。
【００２３】
本実施形態の記録再生装置は、ＨＤＤユニットとＶＣＲユニットとＤＶＤユニットとが本体シャーシ上に搭載された複合型の記録再生装置であり、本体シャーシに搭載された状態は、図３に示した従来のものと同様である。本実施形態では、このような搭載構造において、ＨＤＤホルダを樹脂部材にて形成した点に特徴を有している。以下、このＨＤＤホルダについて説明するが、その他の構成部材については、図３に示した従来の構成部材に付与されている符号を用いて説明を行うものとする。
【００２４】
図１は、本実施形態のＨＤＤホルダ７０の構造を示しており、ＨＤＤユニット４０を取り付ける前の状態を示した分解斜視図である。また、図２は、ＨＤＤホルダ７０の平面図である。
【００２５】
このＨＤＤホルダ７０は、上記したようにその全体が樹脂部材によって形成されている。具体的には、耐熱性を有するＡＢＳ樹脂による射出成形によって形成されている。
【００２６】
このＨＤＤホルダ７０は、ＨＤＤユニット４０を載置固定する中央部が開口した平板形状の載置板７１を備えており、この載置板７１の前端部の左右両側に、下方に延設する形で一対の前側脚片７２，７２が形成されている。
【００２７】
この前側脚片７２には、左右両側縁に沿って下方に垂下する補強リブ７２ａが形成されており、下端部には、これら補強リブ７２ａに続く環状リブ７２ｂが形成されている。そして、環状リブ７２ｂ内の底面７２ｃに、本体シャーシ１０の図示しないネジ穴にネジ部材６６をねじ込むためのネジ挿通穴７５が形成されている。すなわち、環状リブ７２ｂは、ネジ部材６６の締め付けによる応力集中を逃がすために設けられている。
【００２８】
また、載置板７１の後端部には上方に起立した背面板７４が形成されており、この背面板７４の左右両側に、下方に延設する形で一対の後側脚片７３，７３が形成されている。この後側脚片７３は、図２に示すように、横方向に開口するような略コ字状に形成されており、このような形状とすることで、脚片としての強度を持たせている。そして、この後側脚片７３の底面７３ａに、本体シャーシ１０の図示しないネジ穴にネジ部材６６をねじ込むためのネジ挿通穴７５が形成されている。すなわち、本実施形態のＨＤＤホルダ７０は、４本の脚片７２，７２，７３，７３によって本体シャーシ１０上に支持固定される構造となっている。
【００２９】
また、ＨＤＤユニット４０の取付片４１，４１に形成されたネジ嵌合溝部４３，４３，・・・に対向する載置板７１の位置には、それぞれネジ穴７６，７６，・・・が形成されている。なお、載置板７１の周縁部にも、隣接する脚片間を繋ぐようにしてリブ片か形成されおり、載置板７１の強度を保っている。
【００３０】
このように構成されたＨＤＤホルダ７０にＨＤＤユニット４０を取り付ける方法は、上記従来技術の場合と同様である。すなわち、上側ダンパー６１ａと下側ダンパー６１ｂとが予め挿着されているネジ部材６２の上下両ダンパー６１ａ，６１ｂの隙間に、ＨＤＤユニット４０の取付板４１のネジ嵌合溝部４３を差し込むようにして、ネジ部材６２をＨＤＤユニット４０の取付板４１に仮装着し、この状態で、ＨＤＤユニット４０をＨＤＤホルダ７０の載置板７１に対向配置して、各ネジ部材６２を対向する各ネジ穴７６にねじ込むことによって、ＨＤＤユニット４０をＨＤＤホルダ７０に取り付けている。従って、このときの取り付け構造は、図４（ｂ）に示した状態と同じ状態となり、ＨＤＤユニット４０は、下側ダンパー６１ｂ，６１ｂ，・・・によって載置板７１から若干浮いた状態で、ＨＤＤホルダ７０に保持されることになる。すなわち、ＨＤＤユニット４０は、この４本のネジ部材６２による４点支持のみによってＨＤＤホルダ７０に支持固定されている。このとき、ネジ部材６２は段付きネジを使用することで、ネジ部材６２をネジ穴７６にねじ込んだとき、上下両ダンパー６１ａ，６１ｂが必要以上に圧縮されないようになっている。
【００３１】
そして、このようにＨＤＤユニット４０を保持したＨＤＤホルダ７０を、本体シャーシ１０にネジ部材６６にて固定する。すなわち、前側脚片７２，７２及び後側脚片７３，７３の各底面７２ｃ，７３ａに形成された各ネジ挿通穴７５を、本体シャーシ１０に形成された図示しないネジ穴に対向配置させ、この状態で、上方からこのネジ穴に対してネジ部材６６をねじ込むことにより、本体シャーシ１０にＨＤＤホルダ７０を固定している。
【００３２】
このような構成とすれば、ＨＤＤユニット４０の振動は、ネジ部材６２に挿着されている上下両ダンパー６１ａ，６１ｂによってある程度減衰され、減衰されずにＨＤＤホルダ７０に伝達された振動は、樹脂部材で形成されているＨＤＤホルダ７０の前側脚片７２及び後側脚片７３によってさらに減衰されることになる。すなわち、樹脂自体の持っている柔軟性を利用して振動を減衰することができる。
【００３３】
これにより、ＨＤＤユニット４０の振動は、本体シャーシ１０に伝達される前にほとんど減衰されるため、本体シャーシ１０に搭載されているＶＣＲユニット２０にもほとんど伝わることはない。
【００３４】
なお、上記実施形態では、ＨＤＤホルダ７０を本体シャーシ１０に取り付け固定するとき、前側脚片７２，７２及び後側脚片７３，７３の各底面７２ｃ，７３ａを本体シャーシ１０上に直接載置して、ネジ部材６６により取り付け固定する構造としているが、この前側脚片７２，７２及び後側脚片７３，７３の各底面７２ｃ，７３ａと本体シャーシ１０との間に、シート状の弾性部材（第２の緩衝部材）をさらに介挿してもよい。このようにシート状の弾性部材をさらに介挿させることで、ＨＤＤホルダ７０に伝達された振動をさらに減衰することが可能となる。
【図面の簡単な説明】
【００３５】
【図１】本発明の記録再生装置に搭載されるＨＤＤホルダの構成を示す分解斜視図である。
【図２】ＨＤＤホルダの平面図である。
【図３】ＨＤＤユニットとＤＶＤユニットとＶＣＲユニットとが本体シャーシ上に搭載された状態を示す概略斜視図である。
【図４】（ａ）は、本体シャーシに搭載されている従来のＨＤＤホルダの構成を示す分解斜視図、（ｂ）は、ＨＤＤユニットとＨＤＤホルダとの取り付け部分を示す拡大断面図である。
【符号の説明】
【００３６】
１０  本体シャーシ
１１  正面パネル
１２  ディスク挿入口
１３  カセット挿入口
１４  背面板
２０  ＶＣＲユニット
３０  ＤＶＤユニット
４０  ＨＤＤユニット
４１  取付片
４３  ネジ嵌合溝部
５０  ＨＤＤホルダ
５１  載置板
５２，５３  脚片
５２ａ，５３ａ  固定片
５４  背面側固定板
５５  ネジ挿通穴
５６  ネジ穴
６１ａ  上側ダンパー
６１ｂ  下側ダンパー
６２  ネジ部材
６６  ネジ部材
７０  ＨＤＤホルダ
７１  載置板
７２  前側脚片
７２ａ  補強リブ
７２ｂ  環状リブ
７２ｃ  底面
７３  後側脚片
７３ａ  底面
７４  背面板
７５  ネジ挿通穴
７６  ネジ穴
【図１】
2008171460.tif 000003
【図２】
2008171460.tif 000004
【図３】
2008171460.tif 000005
【図４】
2008171460.tif 000006